(57)【特許請求の範囲】
【請求項１】
気化器本体を貫通する吸気路が下方向に機関に向かって配置され、吸気路を開閉する絞り弁より上流側に、吸気路内の負圧に応じてベンチュリー部の面積を可変制御する負圧作動弁を配置し、気化器本体の下方取付け端部に浮子室本体の上方取付け端部をネジにて螺着固定することによって内部に一定なる燃料液面を形成保持する浮子室と、気化器本体より浮子室内に突出し、環状溝を介してノズルに連通される主燃料ジェットを備えるニードルジェットホルダーの下端外周に配置される環状パッキンを、浮子室本体の底部にあって、その上流が浮子室内に連絡されるガイド孔の先端開口の側壁にてシールするダウンドラフト型定真空式気化器において、浮子室本体（６）の上方取付け端部（６Ａ）を気化器本体（１）の下方取付け端部（１Ａ）にネジ締め固定するネジ（７）の長手軸心線（Ｂ）−（Ｂ）と、主燃料ジェット（１３）を備えるニードルジェットホルダー（１２）の長手軸心線（Ｃ）−（Ｃ）とを、その下方位置において４５度以下の狭角Ｆをもって交差配置し、前記ガイド孔（２０）の先端開口（２０Ｃ）を円錐孔とするとともに円錐孔のネジ（７）に臨む側の円錐側面（２０Ｃａ）をネジ（７）の長手軸心線（Ｂ）−（Ｂ）と平行に形成するとともに円錐角度（Ｇ）をもって形成としたことを特徴とするダウンドラフト型定真空式気化器。
【発明の詳細な説明】
【０００１】
【産業上の利用分野】
本発明は機関へ供給する混合気の濃度及びその量を調整、制御する気化器に関し、そのうち特に気化器本体を貫通する吸気路が下方向に機関に向かって配置され、吸気路を開閉する絞り弁より上流側に、吸気路内に生起する負圧に応じてベンチュリー部の面積を可変制御する負圧作動弁を備えたダウンドラフト型定真空式気化器に関する。
【０００２】
【従来の技術】
従来のダウンドラフト型定真空式気化器は図２に示される。１は吸気路２の下流が重力方向における下方向に向かって貫通して形成された気化器本体であり、該吸気路２は絞り弁軸３に取着された絞り弁４にて開閉されるとともに絞り弁４より上流側には吸気路２内の負圧に応じてベンチュリー部Ｖの面積を可変制御する負圧作動弁５が吸気路２に略直交して移動自在に配置される。気化器本体１の下方取付け端部１Ａには、浮子室本体６の上方取付け端部６Ａが当接されるとともにネジ７にて螺着固定され、浮子室８が形成される。尚、ネジ７の長手軸心線Ｂ−Ｂは吸気路（２）の長手軸心線Ｙ−ＹにＺ度傾斜配置される。浮子室８内には、バルブシート３０、フロートバルブ３１、フロート９の協同作用によって一定なる燃料液面Ｐ−Ｐが形成される。１０は、負圧作動弁５の開閉移動方向に沿って負圧作動弁１０に取着されたジェットニードルであり、ジェットニードル１０は吸気路２内に開口するノズル１１内に挿入配置される。又、ノズル１１の外周には環状溝１１Ａが形成され、この環状溝１１Ａに向けてニードルジェットホルダー１２が連通される。このニードルジェットホルダー１２の下端にはニードルジェットホルダー１２に向かう燃料を制御する主燃料ジェット１３が螺着配置される。前記ニードルジェットホルダーはジェットニードル１０の長手軸心線Ａ−Ａに対して交差するよう配置される。尚、１３は一端が大気に連なり、他端が環状溝１１Ａに連通し主空気ジェット１３Ａを備える主空気通路であり、１４はニードルジェットホルダー１２の外周に形成される環状ウエル１５をノズル１１の下端開口に向けて連通する燃料流路である。又、ニードルジェットホルダー１２の下端外周にはＯリング等の環状パッキン１６が装着される。更に前記浮子室本体６の下方底部には、上流１７Ａが浮子室８内に連絡され、下流１７Ｂが主燃料ジェット１３の開口に連絡されるガイド孔１７が設けられるもので、ガイド孔１７の先端開口１７Ｃがニードルジェットホルダー１４の下端外周の環状パッキン１６を押圧保持し、ガイド孔１７の下流１７Ｂの燃料が直接的に浮子室８内へ洩れることを防止する。
【０００３】
ここで、前述したネジ７の長手軸心線Ｂ−Ｂとニードルジェットホルダー１２の長手軸心線Ｃ−Ｃとは平行に配置され、又前記ガイド孔の先端開口１７Ｃの長手軸心線はニードルジェットホルダー１２の長手軸心線Ｃ−Ｃ上に配置される。
尚、１Ｂは気化器本体１の下方取付け端部１Ａより下方に向かって突出する位置決め突部であり、６Ｂは浮子室本体６の上方取付け端部６Ｂに凹設した位置決め凹部であり、位置決め突部１Ｂを位置決め凹部６Ｂに挿入することによって浮子室本体６を正確に気化器本体１にネジ７によって螺着できる。そして、気化器本体１にニードルジェットホルダー１２等の構成部品が取着された状態において、気化器本体１に浮子室本体６が組付けられるもので、このときネジ７の長手軸心方向Ｂ−Ｂに沿って浮子室本体６を移動させ、浮子室本体６の上方取付け端部６Ａを気化器本体１の下方取付け端部１Ａに当接する。以上によると、位置決め凹部６Ｂ内に位置決め突部１Ｂが挿入配置され、一方、ニードルジェットホルダー１２の下端外周に配置される環状パッキン１６が浮子室本体６のガイド孔１７の先端開口１７Ｃ内に挿入配置され、かかる状態においてネジ７によって浮子室本体６を気化器本体１に螺着して固定する。従って浮子室本体６を気化器本体１に組付ける際において、浮子室本体６はネジ７の長手軸心方向に直接的に移動するだけでよいので、良好な組付け性を得ることができる。尚、かかるダウンドラフト型定真空式気化器の吸気路２の長手軸心線Ｙ−Ｙは水平線Ｘ−Ｘに対してＤ度前傾して機関に装着される。
【０００４】
【発明が解決しようとする課題】
かかる従来のダウンドラフト型定真空式気化器によると以下の不具合を有する。ダウンドラフト型定真空式気化器において、機関に対する前傾角度は機関によって種々異なる傾斜角度が要求されるもので、吸気路２の長手軸心線Ｙ−Ｙを図２に示される前傾角度Ｄより更に急前傾させ、例えば、吸気路２の長手軸心線Ｙ−Ｙが水平線Ｘ−Ｘに対して略直交する方向に配置された場合、ニードルジェットホルダー１２の長手軸心線Ｃ−Ｃをネジ７の長手軸心線Ｂ−Ｂと平行に配置することに問題がある。これは、かかる急前傾斜時において、主燃料ジェット１３を含むニードルジェットホルダー１２が浮子室８内の燃料液面Ｐ−Ｐの中心より大きく外側に離れ、これによって大きな燃料液面変化の影響を受け、傾斜性能を阻害するからである。そして、前記不具合を解決する為に主燃料ジェット１３を含むニードルジェットホルダー１６を燃料液面の中心に近づくようニードルジェットホルダー１６の長手軸心線Ｃ−Ｃをネジ７の長手軸心線Ｂ−Ｂに対してその下方位置において４５度以下の挟角をもって交差配置することが考慮される。然しながら前記によるとネジ７の長手軸心線Ｂ−Ｂとニードルジェットホルダー１６の長手軸心線Ｃ−Ｃとが交差配置されて平行配置されないことから、ネジ７の締結作業と、ニードルジェットホルダー１６の外周の環状パッキン１６をガイド孔１７の先端開口１７Ｃへの挿入作業を一方向から同時に行なうことができない。又、前記作業において、第１に環状パッキン１６をガイド孔１７の先端開口１７Ｃへ挿入し、次いで、ニードルジェットホルダー１６の長手軸心線Ｃ−Ｃを中心に浮子室本体６を回転し、ネジ７による締結作業を行なうことが可能であるが、これによると浮子室本体６を回転する必要があり、例えば気化器本体１に設けた位置決め突部１Ｂあるいは他の燃料ボス、フロート９等の構成部品に干渉して回転できない場合がある。
【０００５】
本発明になるダウンドラフト型定真空式気化器は前記不具合に鑑み成されたもので機関に対する吸気路の前傾角度が変化しても浮子室本体を気化器本体へ締結する為のネジ締め作業及び環状パッキンをガイド孔の先端開口へ挿入する挿入作業を一方向より同時に行なうことのできるダウンドラフト型定真空式気化器を提供することを目的とする。
【０００６】
【課題を解決する為の手段】
本発明になるダウンドラフト型定真空式気化器は前記目的達成の為に、気化器本体を貫通する吸気路が下方向に機関に向かって配置され、吸気路を開閉する絞り弁より上流側に、吸気路内の負圧に応じてベンチュリー部の面積を可変制御する負圧作動弁を配置し、気化器本体の下方取付け端部に浮子室本体の上方取付け端部をネジにて螺着固定することによって内部に一定なる燃料液面を形成保持する浮子室と、気化器本体より浮子室内に突出し、環状溝を介してノズルに連通される主燃料ジェットを備えるニードルジェットホルダーの下端外周に配置される環状パッキンを、浮子室本体の底部にあって、その上流が浮子室内に連絡されるガイド孔の先端開口の側壁にてシールするダウンドラフト型定真空式気化器において、浮子室本体の上方取付け端部を気化器本体の下方取付け端部にネジ締め固定するネジの長手軸心線と、主燃料ジェットを備えるニードルジェットホルダーの長手軸心線とを、その下方位置において４５度以下の狭角をもって交差配置し、前記ガイド孔の先端開口を円錐孔とするとともに円錐孔のネジに臨む側の円錐側面をネジの長手軸心線と平行に形成するとともに円錐角度をもって形成したことを特徴とする。
【０００７】
【実施例】
以下、本発明になるダウンドラフト型定真空式気化器の一実施例を図１により説明する。尚、図２と同一構造部分は同一符号を使用し説明を省略する。図１において水平線Ｘ−Ｘと吸気路２の長手軸心線Ｙ−ＹとはＥ度をもって前傾斜して交差するもので、この角度（Ｅ度）は図２の角度（Ｄ度）より大であって水平線Ｘ−Ｘに略直交する大なる角度を有する。そして、この時、主燃料ジェット１３を含むニードルジェットホルダー１６の長手軸心線Ｃ−Ｃは、ネジ７の下方位置においてネジ７の長手軸心線Ｂ−Ｂに対して角度（Ｆ度）をもって交差する。この角度（Ｆ度）は４５度以下の挟角をもって交差するもので、これによって吸気路２の長手軸心線Ｙ−Ｙが水平線Ｘ−Ｘに対して略直交して配置されたとしてもニードルジェットホルダー１６を燃料液面Ｐ−Ｐの中心近傍に配置できる。ガイド孔２０は浮子室本体６の底部に形成され、その上流２０Ａは浮子室８内へ連絡されて開口し、下流２０Ｂは先端開口２０Ｃをもって環状パッキン１６に臨んで位置する。そして、前記ガイド孔２０の先端開口２０Ｃは、円錐孔として形成されるとともにその円錐面のネジ７に臨む側の円錐側面２０Ｃａ（図１において左方の円錐側面）は、ネジ７の長手軸心線Ｂ−Ｂと平行に形成されるとともに円錐角度Ｇに形成される。
【０００８】
そして、各構成は、従来と同様に組みつけられるもので、そのうち特に浮子室本体６は以下によって気化器本体１に組みつけられる。すなわち、浮子室本体６はネジ７の長手軸心線Ｂ−Ｂに沿って気化器本体１側へ移動させ、浮子室本体６の上方取付け端部６Ａを気化器本体１の下方取付け端部１Ａに当接配置する。以上によると、ガイド孔２０の円錐孔をなす先端開口２０Ｃ内にニードルジェットホルダー１２の外周に配置した環状パッキン１６が挿入配置されるとともに位置決め突部１Ｂが位置決め凹部６Ｂ内に挿入配置され、かかる状態においてネジ７により浮子室本体６が気化器本体に螺着固定される。
【０００９】
【発明の効果】
以上の如く、本発明になるダウンドラフト型定真空式気化器によると、気化器本体を貫通する吸気路が下方向に機関に向かって配置され、吸気路を開閉する絞り弁より上流側に、吸気路内の負圧に応じてベンチュリー部の面積を可変制御する負圧作動弁を配置し、気化器本体の下方取付け端部に浮子室本体の上方取付け端部をネジにて螺着固定することによって内部に一定なる燃料液面を形成保持する浮子室と、気化器本体より浮子室内に突出し、環状溝を介してノズルに連通される主燃料ジェットを備えるニードルジェットホルダーの下端外周に配置される環状パッキンを、浮子室本体の底部にあって、その上流が浮子室内に連絡されるガイド孔の先端開口の側壁にてシールするダウンドラフト型定真空式気化器において、浮子室本体の上方取付け端部を気化器本体の下方取付け端部にネジ締め固定するネジの長手軸心線と、主燃料ジェットを備えるニードルジェットホルダーの長手軸心線とを、その下方位置において４５度以下の狭角をもって交差配置し、前記ガイド孔の先端開口を円錐孔とするとともに円錐孔のネジに臨む側の円錐側面をネジの長手軸心線と平行に形成するとともに円錐角度をもって形成したので、吸気路の長手軸心線が水平線に対して略直交する方向に配置されたとしてもメインジェットを含むニードルジェットホルダーを浮子室内の燃料液面の中心近傍に配置することができて傾斜性能を良好に維持することができ、一方、浮子室本体を気化器本体へ組付ける際において、ネジの長手軸心線に沿って浮子室本体を一方向へ移動することによってガイド孔の先端開口にニードルジェットホルダーの外周に配置される環状パッキンを挿入配置できるので、組付け作業性を良好に維持することができる。
【図面の簡単な説明】
【図１】  本発明になるダウンドラフト型定真空式気化器の縦断面図。
【図２】  従来のダウンドラフト型定真空式気化器の縦断面図。
【符号の説明】
１      気化器本体
１Ａ    下方取付け端部
６      浮子室本体
６Ａ    上方取付け端部
７      ネジ
１２    ニードルジェットホルダー
Ｂ−Ｂ  ネジの長手軸心線
Ｃ−Ｃ  ニードルジェットホルダーの長手軸心線
２０    ガイド孔
【図１】
0004282862.tif 000002
【図２】
0004282862.tif 000003